(57)【要約】【課題】無線タグとの通信に有害な電磁波を効率よく遮蔽する無線タグリーダライタアンテナを提供する。【解決手段】無線タグと電磁波を送受信するためのアンテナであるリーダライタアンテナを収納するアンテナ外装と；アンテナ外装を挟むようにアンテナ外装に設置され、リーダライタアンテナからの電磁波放射方向に向かって伸びる複数の電磁波遮蔽板と；を含む。電磁波遮蔽板は着脱可能又はスライド可能に設置することができる。この電磁波遮蔽板により、無線タグとの通信に有害な電磁波を効率よく遮蔽する。【選択図】図１
2008288784.tif 000002
【特許請求の範囲】
【請求項１】
無線タグと電磁波を送受信するためのアンテナであるリーダライタアンテナを収納するアンテナ外装と；
前記アンテナ外装を挟むように前記アンテナ外装に設置され、前記リーダライタアンテナからの電磁波放射方向に向かって伸びる複数の電磁波遮蔽板と；
を含む無線タグリーダライタアンテナ。
【請求項２】
無線タグと電磁波を送受信するためのアンテナであるリーダライタアンテナを収納するアンテナ外装と；
前記アンテナ外装を挟むように前記アンテナ外装に着脱可能に設置され、前記リーダライタアンテナからの電磁波放射方向に向かって伸びる複数の電磁波遮蔽板と；
を含む無線タグリーダライタアンテナ。
【請求項３】
前記電磁波遮蔽板の前記アンテナ外装への取り付け部が、前記アンテナ外装の幅方向に長さが異なる複数の着脱可能な前記電磁波遮蔽板を含む、
請求項２に記載の無線タグリーダライタアンテナ。
【請求項４】
無線タグと電磁波を送受信するためのアンテナであるリーダライタアンテナを収納するアンテナ外装と；
前記アンテナ外装を挟むように前記アンテナ外装に前記アンテナ外装の幅方向に摺動可能に設置され、前記リーダライタアンテナからの電磁波放射方向に向かって伸びる複数の電磁波遮蔽板と；
を含む無線タグリーダライタアンテナ。
【請求項５】
無線タグと電磁波を送受信するためのアンテナであるリーダライタアンテナを収納するアンテナ外装と；
底面が開放された筒形状をなし、前記アンテナ外装の電波放射面に前記底面が接するように、又は前記アンテナ外装の外周を囲むように前記アンテナ外装に設置され、前記リーダライタアンテナからの電磁波放射方向に向かって伸びる電磁波遮蔽板と；
を含む無線タグリーダライタアンテナ。
【請求項６】
無線タグと電磁波を送受信するためのアンテナであるリーダライタアンテナを収納するアンテナ外装と；
底面が開放された筒形状をなし、前記アンテナ外装の電波放射面に前記底面が接するように前記アンテナ外装に着脱可能に設置され、前記リーダライタアンテナからの電磁波放射方向に向かって伸びる電磁波遮蔽板と；
を含む無線タグリーダライタアンテナ。
【請求項７】
前記電磁波遮蔽板が、
前記アンテナ外装側に電磁波吸収材を有し、
前記電磁波吸収材の前記アンテナ外装側と反対側に電磁波を反射する金属を含むことを特徴とする、
請求項１乃至６のいずれか１項に記載の無線タグリーダライタアンテナ。
【請求項８】
前記電磁波遮蔽板が、電磁波吸収材を含む電磁波吸収体を含むことを特徴とする、
請求項１乃至６のいずれか１項に記載の無線タグリーダライタアンテナ。
【請求項９】
前記電磁波吸収材が、カーボンを含浸させたポリウレタン，フェライト，カーボンを含浸させた発泡スチロールから１種類以上選ばれる材質を含むことを特徴とする、請求項１乃至８のいずれか１項に記載の無線タグリーダライタアンテナ。
【発明の詳細な説明】
【技術分野】
【０００１】
本発明は、無線タグとの通信の障害となる電磁波を遮蔽する電磁波遮蔽板を備え、無線タグと電磁波の送受信をするアンテナを有する無線タグリーダライタアンテナに関する。
【背景技術】
【０００２】
無線タグと電磁波により通信する際に、この通信の障害となる電磁波が存在する場合がある。以下、例を挙げて説明する。
【０００３】
図７（ａ）は、無線タグが貼付された書類６０２が金属製の書架６０１に密集して収納されている場合、これらの無線タグと無線タグリーダライタアンテナ６０５を介してパソコンなどの上位機器６０３によって制御される無線タグリーダライタ６０４が通信する様子を図示したものである。このように、無線タグリーダライタアンテナ６０５は金属製の書架６０１の内部乃至極めて近い場所において無線タグに電磁波を照射する場合がある。
【０００４】
図７（ｂ）は、電磁波の反射の様子を模式的に表した図である。無線タグリーダライタアンテナ６０５から放射された電磁波６０６は書架６０１の金属部分に反射して有害反射波６０７として無線タグリーダライタアンテナ６０５に入射し、無線タグとの通信に悪影響をもたらすという問題点があった。
【０００５】
この点に関し、電磁波を遮蔽する収納ケース内に無線タグリーダライタアンテナを設け、無線タグを貼付した物品をこの収納ケースに差し入れて無線タグと送受信することにより、通信に有害な電磁波を遮蔽する技術が提案されている（例えば、特許文献１）。
【０００６】
また、ハンディー型リーダライタのアンテナ部分に電磁波を遮蔽するカバーを取り付け、無線タグを貼付した物品をこのアンテナとカバーの間に挿入して無線タグと通信することにより、通信に有害な電磁波を遮蔽する技術が提案されている（例えば、特許文献２）。
【０００７】
或いは、金属ケースの内部に電磁波を吸収する材質を貼り付け、金属部分における電磁波の反射を防止する技術が提案されている（例えば、特許文献３）。
【０００８】
さらに、建築物においては、建築物の壁や屋根に電磁波を吸収する材質を貼り付け、金属部分における電磁波の反射を防止する技術が提案されている（例えば、特許文献４）。
【特許文献１】特開２００５−２６６９６１号公報
【特許文献２】特開２００５−１７５１３４号公報
【特許文献３】特開２０００−１３７８７３号公報
【特許文献４】特開２００２−６４３２７号公報
【発明の開示】
【発明が解決しようとする課題】
【０００９】
しかし、特許文献１及び特許文献２に記載の技術によっては、無線タグが貼付された多数の物品をいちいち取り出してリーダライタに挿入する必要があるため、作業に手間がかかるという問題点があった。
【００１０】
また、特許文献３に記載の技術によっては、金属ケースの内部を覆うには大量の電磁波遮蔽材が必要となり、コストがかかるという問題点があった。
【００１１】
さらに、特許文献４に記載の技術によっては、金属ケース内の電磁波の反射を防止する効果がないと言う問題点があった。
【００１２】
本発明は上記のような問題点に鑑みてなされたものであり、無線タグとの通信に有害な電磁波を効率よく遮蔽する無線タグリーダライタアンテナを提供することを目的とする。
【課題を解決するための手段】
【００１３】
この目的を達成するために、無線タグと電磁波を送受信するためのアンテナであるリーダライタアンテナを備えるアンテナ外装と；アンテナ外装を挟むようにアンテナ外装に設置され、リーダライタアンテナからの電磁波放射方向に向かって伸びる複数の電磁波遮蔽板と；を含む無線タグリーダライタアンテナを提供する。
【発明の効果】
【００１４】
本発明によれば、アンテナ外装に電磁波遮蔽板を設けたことによって、無線タグとの通信に有害な電磁波を効率よく遮蔽することができるという効果がある。また、着脱又はスライド可能な電磁波遮蔽板によって、効率よく作業をすることができるという効果がある。
【発明を実施するための最良の形態】
【００１５】
以下、本発明による無線タグリーダライタアンテナの一実施の形態について、図面を用いて詳細に説明する。
【００１６】
＜実施形態の概要＞
先ず、本実施形態の概要を説明する。図６は、本実施形態の無線タグリーダライタアンテナの使用形態の概要を示した図である。
【００１７】
ここで、無線タグは無線通信可能な記憶媒体を意味し、通常アンテナとＩＣチップを有する。無線タグはさらに計算機能を持っていてもよく、望ましくは携帯可能な大きさであるが、微小なものであってもよい。無線タグはＲＦＩＤ（Ｒａｄｉｏ  Ｆｒｅｑｕｅｎｃｙ  Ｉｄｅｎｔｉｆｉｃａｔｉｏｎ）と呼ばれることもある。
【００１８】
無線タグ５１０は、記憶装置であるメモリ５１１と、メモリ５１１へのデータの読み書きを行う無線タグ制御部５１２と、受信した変調電磁波の整流と安定化を行うことにより電源を供給する電源生成部５１５と、無線タグ制御部５１２から送出されたデータを変調して無線タグアンテナ５１６に送出する変調部５１３と、受信した変調電磁波を復調して無線タグ制御部５１２へ送出する復調部５１４とを備える。
【００１９】
無線タグリーダライタ５２０は、無線タグと電磁波により信号を送受信するためのアンテナであるリーダライタアンテナ５２１ａを収納するアンテナ外装５２１と、無線タグ５１０との通信及び接続するハードウエアを制御するリーダライタ制御部５２６と、リーダライタ制御部５２６から送出されたデータを変調する変調部５２２と、変調された信号を増幅してリーダライタアンテナ５２１ａに送出する送信アンプ５２３と、受信した変調電磁波を増幅する受信アンプ５２４と、受信した変調信号を復調する復調部５２５と、例えばパソコン等の上位装置に接続し、データの授受を行うインターフェース５３０と、を備える。またリーダライタ制御部５２６は、ＣＰＵ５２７及びデータを格納するＲＯＭ５２８及びＲＡＭ５２９を備える。
【００２０】
なお、アンテナ外装５２１は無線タグリーダライタ５２０と一つの筐体に収納されて一体となったハンディー型無線タグリーダライタであってもよい。
【００２１】
図８に、本実施形態の無線タグリーダライタアンテナの概要を示す。本実施形態の無線タグリーダライタアンテナは、アンテナ外装６０５を挟むようにアンテナ外装６０５に設置され、アンテナからの電磁波放射方向に向かって伸びる複数の電磁波遮蔽板６０８を含む。図８に示すように、これらの電磁波遮蔽板６０８は通信に有害な電磁波６０７を効率よく遮断する。
【００２２】
＜第１の実施形態＞
＜第１の実施形態の無線タグリーダライタアンテナの構成＞
以下、本実施形態の第１の実施形態を説明する。図１は本実施形態の無線タグリーダライタアンテナ１０１の概要を示す図である。
【００２３】
図１（ａ）は、本実施形態の無線タグリーダライタアンテナ１０１の斜視図である。図１（ａ）に示すように、無線タグリーダライタアンテナ１０１は、無線タグと電磁波によって信号を送受信するためのリーダライタアンテナ１０４を備えるアンテナ外装１０２と；アンテナ外装１０２を挟むようにアンテナ外装１０２に設置され、リーダライタアンテナ１０４からの電磁波放射方向（矢印Ａ）に向かって伸びる複数の電磁波遮蔽板１０３と；を含む。取手１０５を有していてもよい。
【００２４】
図１（ｂ）は、無線タグリーダライタアンテナ１０１の側面図である。無線タグリーダライタへの配線１０６を有していてもよい。
【００２５】
図１（ｃ）は、無線タグリーダライタアンテナ１０１の上面図である。このように、電磁波遮蔽板１０３は、リーダライタアンテナ１０４からの電磁波放射方向に向かって伸びる。
【００２６】
図１（ｄ）は、無線タグリーダライタアンテナ１０１の上面図である。このように、電磁波遮蔽板１０３の先端は、先端に行くに従って細くなる楔形をしていてもよい。また、電磁波遮蔽板１０３の先端は、曲面を含んでいてもよい。
【００２７】
さらに、図１の各図においては電磁波遮蔽板１０３がアンテナ外装１０２の左右に２枚設けられた無線タグリーダライタアンテナ１０１が図示されているが、本実施形態の無線タグリーダライタアンテナ１０１は電磁波遮蔽板１０３をアンテナ外装１０２の上下にさらに２枚設け、筒状に構成しても同様の効果が得られる。
【００２８】
＜第１の実施形態の電磁波遮蔽板の構成＞
次に、第１の実施形態の電磁波遮蔽板１０３の構成について説明する。
【００２９】
（第１の応用例）
電磁波遮蔽板１０３は、アンテナ外装１０２側に電磁波吸収材を有し、この電磁波吸収材のアンテナ外装１０２側と反対側に電磁波を反射する金属を含む。
【００３０】
電磁波を反射する金属は、例えば鉄や銅などの単体に近い材質や、ステンレスなどの合金が挙げられる。
【００３１】
電磁波吸収材は、例えば合成樹脂や木材、セルロースなどの他、電磁波を効率よく吸収する材質であってもよい。電磁波を効率よく吸収する材質は、例えばカーボンを含浸させたポリウレタン，フェライト，カーボンを含浸させた発泡スチロールなどが挙げられるが、これらに限られるものではない。
【００３２】
このように構成することにより、無線タグリーダライタアンテナ１０１の外側からの電磁波を遮蔽することができる。
【００３３】
図２は、電磁波遮蔽板１０３を上部からみた断面図である。左側がアンテナ外装１０２側、すなわち内側であり、右側が外側である。図２（ａ）に示すように、電磁波吸収材４０２を、均一に電磁波を反射する金属４０１に設置してもよい。また、図２（ｂ）に示すように、電磁波吸収材４０３をモールド形状、すなわち空洞を有する形状にして電磁波を反射する金属４０１に設置してもよい。
【００３４】
（第２の応用例）
電磁波遮蔽板１０３は、電磁波を吸収する電磁波吸収体を含む。電磁波遮蔽板１０３は、この電磁波吸収体だけから構成されていてもよいし、上述の電磁波吸収材又は金属のアンテナ外装１０２側に、すなわち内側に電磁波吸収体を設けてもよい。この電磁波吸収体は、上述の電磁波吸収材から１種類以上選ばれる材質を含む。
【００３５】
＜第１の実施形態の効果＞
以上述べたように、本実施形態の無線タグリーダライタアンテナ１０１は、アンテナ外装１０２を挟むようにアンテナ外装１０２に設置され、リーダライタアンテナ１０４からの電磁波放射方向に向かって伸びる複数の電磁波遮蔽板１０３を含む。このため、無線タグとの通信に有害な電磁波を効率よく遮蔽することができるという効果がある。
【００３６】
＜第２の実施形態＞
＜第２の実施形態の無線タグリーダライタアンテナの構成＞
以下、本実施形態の第２の実施形態を説明する。図３は本実施形態の無線タグリーダライタアンテナ２０１の概要を示す図である。
【００３７】
図３（ａ）は、本実施形態の無線タグリーダライタアンテナ２０１の斜視図である。図３（ａ）に示すように、無線タグリーダライタアンテナ２０１は、無線タグと電磁波によって信号を送受信するためのリーダライタアンテナ１０４を収納するアンテナ外装２０２と；アンテナ外装２０２を挟むようにアンテナ外装２０２に着脱可能に設置され、リーダライタアンテナ１０４からの電磁波放射方向（矢印Ａ）に向かって伸びる複数の電磁波遮蔽板２０３と；を含む。取手１０５を有していてもよい。
【００３８】
図３（ｂ）は、電磁波遮蔽板２０３とアンテナ外装２０２との取り付け部位の拡大図である。電磁波遮蔽板２０３とアンテナ外装２０２は着脱可能な別の部材として構成される。電磁波遮蔽板２０３とアンテナ外装２０２は、図３（ｂ）に示すように、電磁波遮蔽板２０３に設けられた凸部２０３ａとアンテナ外装２０２に設けられた凹部２０２ａとを嵌めあわせて装着される。
【００３９】
図３（ｂ）には、レール式の着脱機構が例示されているが、着脱機構はこれに限られるものではなく、例えばビス止めなどの機構を採用することもできる。
【００４０】
本実施形態の無線タグリーダライタアンテナ２０１においては、電磁波遮蔽板２０３のアンテナ外装２０２への取り付け部が、アンテナ外装２０２の幅方向に長さが異なる複数の着脱可能な電磁波遮蔽板を含むように構成することもできる。このアンテナ外装２０２の幅方向に長さが異なる着脱可能な電磁波遮蔽板を交換することにより、無線タグリーダライタアンテナ２０１が一度に通信できる無線タグが貼付された物品の量や厚さを変更することができる。
【００４１】
図３（ｃ）は、無線タグリーダライタアンテナ２０１の上面図である。図３（ｃ）に示した電磁波遮蔽板２０３は、アンテナ外装２０２への取り付け部におけるアンテナ外装２０２の幅方向の長さがない場合の例である。
【００４２】
図３（ｄ）は、無線タグリーダライタアンテナ２０１の上面図である。図３（ｃ）に示した電磁波遮蔽板２０４は、アンテナ外装２０２への取り付け部２０３ｂにおけるアンテナ外装２０２の幅方向２０５の長さが長い場合の例である。
【００４３】
ここで、アンテナ外装２０２の幅方向２０５は、無線タグリーダライタアンテナ２０１に設置された２枚の電磁波遮蔽板２０４のアンテナ外装２０２を挟む幅の長さと同じ意味を表す。
【００４４】
次に、第２の実施形態における他の例を説明する。図４は本実施形態の無線タグリーダライタアンテナ２０１の電磁波遮蔽板３０３とアンテナ外装３０２との取り付け部位の拡大図である。
【００４５】
図４に示すように、無線タグリーダライタアンテナ２０１は、無線タグと電磁波を送受信するためのアンテナであるリーダライタアンテナを収納するアンテナ外装３０２と；アンテナ外装３０２を挟むようにアンテナ外装３０２にアンテナ外装３０２の幅方向に摺動（スライド）可能に設置され、リーダライタアンテナからの電磁波放射方向に向かって伸びる複数の電磁波遮蔽板３０３と；を含む。
【００４６】
図４に示した例においては、電磁波遮蔽板３０３に設けられたスライドアーム３０３ａ（隠れる部分は破線にて示す）がアンテナ外装３０２に設けられたスライドアーム挿通孔３０２ａにスライド可能に差し込まれる。これにより、アンテナ外装３０２の幅方向に摺動（スライド）可能となり、無線タグリーダライタアンテナ２０１が一度に通信できる無線タグが貼付された物品の量や厚さを変更することができる。
【００４７】
なお、アンテナ外装３０２と電磁波遮蔽板３０３の接続方法は摺動（スライド）可能であればその形態を問わない。
【００４８】
＜第２の実施形態の電磁波遮蔽板の構成＞
第２の実施形態の電磁波遮蔽板の構成は、上述した第１の実施形態の電磁波遮蔽板の構成を用いることができる。
【００４９】
＜第２の実施形態の効果＞
以上述べたように、本実施形態の無線タグリーダライタアンテナ２０１は、アンテナ外装２０２を挟むようにアンテナ外装２０２にアンテナ外装２０２の幅方向２０５に摺動可能に設置され、リーダライタアンテナ１０４からの電磁波放射方向に向かって伸びる複数の電磁波遮蔽板２０３を含む。このため、無線タグとの通信に有害な電磁波が少ないときは電磁波遮蔽板２０３を取り外し、一度に通信できる無線タグが貼付された物品の量や厚さを変更したいときは電磁波遮蔽板２０３を交換することにより、効率よく作業をすることができるという効果がある。
【００５０】
＜第３の実施形態の無線タグリーダライタアンテナの構成＞
以下、本実施形態の第３の実施形態を説明する。図５（ａ）は、本実施形態の無線タグリーダライタアンテナ８０１の斜視図である。図５（ａ）に示すように、無線タグと電磁波を送受信するためのアンテナであるリーダライタアンテナ１０４を収納するアンテナ外装１０２と；底面が開放された筒形状をなし、アンテナ外装１０２の電波放射面にこの開放された底面が接するように、又はアンテナ外装１０２の外周を囲むようにアンテナ外装１０２に設置され、リーダライタアンテナ１０４からの電磁波放射方向に向かって伸びる電磁波遮蔽板８０３と；を含む。
【００５１】
本実施形態の電磁波遮蔽板８０３は、図５（ａ）においては四角柱形状の筒の例を示してあるが、円筒形状や多角柱形状であってもよい。
【００５２】
図５（ｂ）は、本実施形態の他の例である無線タグリーダライタアンテナ８１１の斜視図である。この例においては、筒形状の電磁波遮蔽板８０４がアンテナ外装１０２の電波放射面に開放された底面が接するようにアンテナ外装１０２に着脱可能に、アンテナ外装１０２とは別の部材として設置される。
【００５３】
着脱可能に構成する方法としては、第２の実施形態における図３（ｂ）に示した機構を用いることができる。すなわち、電磁波遮蔽板８０４とアンテナ外装１０２は、電磁波遮蔽板８０４に設けられた凸部８０４ａとアンテナ外装１０２に設けられた凹部８０４ｂとを嵌めあわせて装着される。なお、着脱機構はこれに限られるものではなく、例えばビス止めなどの機構を採用することもできる。
【００５４】
＜第３の実施形態の電磁波遮蔽板の構成＞
第３の実施形態の電磁波遮蔽板の構成は、上述した第１の実施形態の電磁波遮蔽板の構成を用いることができる。
【００５５】
＜第３の実施形態の効果＞
以上述べたように、本実施形態の無線タグリーダライタアンテナ８０１は、底面が開放された筒形状をなし、アンテナ外装１０２の電波放射面にこの開放された底面が接するようにアンテナ外装１０２に設置され、リーダライタアンテナ１０４からの電磁波放射方向に向かって伸びる電磁波遮蔽板８０３を含む。また、電磁波遮蔽板はアンテナ外装１０２に着脱可能に設けることもできる。このため、無線タグとの通信に有害な電磁波をさらに効率よく遮蔽することが可能となるという効果がある。
【００５６】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５７】
【図１】第１の実施形態の無線タグリーダライタアンテナ１０１の概要を示す図である。
【図２】第１の実施形態の電磁波遮蔽板を上部からみた断面図である。
【図３】第２の実施形態の無線タグリーダライタアンテナの概要を示す図である。
【図４】第２の実施形態の無線タグリーダライタアンテナの電磁波遮蔽板とアンテナ外装との取り付け部位の拡大図である。
【図５】第３の実施形態の無線タグリーダライタアンテナの斜視図である。
【図６】無線タグリーダライタアンテナの使用形態の概要を示した図である。
【図７】従来技術を示した図である。
【図８】本発明の実施形態の概要を示した図である。
【符号の説明】
【００５８】
１０１，２０１：無線タグリーダライタアンテナ、
１０２，２０２，３０２：アンテナ外装、
１０３，２０３，３０３：電磁波遮蔽板、
１０４：リーダライタアンテナ、
８０３，８０４：筒形状の電磁波遮蔽板。
【図１】
2008288784.tif 000003
【図２】
2008288784.tif 000004
【図３】
2008288784.tif 000005
【図４】
2008288784.tif 000006
【図５】
2008288784.tif 000007
【図６】
2008288784.tif 000008
【図７】
2008288784.tif 000009
【図８】
2008288784.tif 000010